(57)【特許請求の範囲】
【請求項１】
前部壁と後部壁との間の側方からベルトを挿通可能なベルト挿通孔が形成された巻尺携帯保持具であって、前記前部壁に設けられて巻尺のベルトフックを跨がせるようにして係合する係止壁と、該係止壁に跨って係止された巻尺のベルトフックの上部の位置に臨出可能に設けられてベルトフックの抜け出しを抑える脱落防止用の爪を有することを特徴とする巻尺携帯保持具。
【請求項２】
前記爪は弾性を有する合成樹脂で形成されたことを特徴とする請求項１に記載の巻尺携帯保持具。
【請求項３】
前記爪は前記巻尺のベルトフックの挿入時に該ベルトフックの先端部が衝合する部分に下方に行くほど前方に出るテーパー部を有することを特徴とする請求項１または２に記載の巻尺携帯保持具。
【請求項４】
前記係止壁の上方に前記脱落防止爪の両側を囲むように案内壁が設けられていることを特徴とする請求項１ないし３のいずれか１項に記載の巻尺携帯保持具。
【請求項５】
上部に吊り下げ用の小孔を有することを特徴とする請求項１ないし４のいずれか１項に記載の巻尺携帯保持具。
【請求項６】
巻尺携帯保持具全体が弾性を有する合成樹脂で一体成形されていることを特徴とする請求項１ないし５のいずれか１項に記載の巻尺携帯保持具。
【発明の詳細な説明】
【０００１】
【発明の属する技術分野】
本発明は、計測工具である巻尺を安全にかつ簡便に携帯することのできる巻尺携帯保持具に関するものである。
【従来の技術】
【０００２】
従来一般に市販されている巻尺には大抵それ自身に作業者自身のベルトの着脱できるベルトフックが装填されている。このベルトフックで、作業ベルトに掛けた場合、脱落しやすく紛失する場合がある。また、高所の作業において、作業ベルトから巻尺が落下した場合には、下方で作業する作業員への危険を伴う。
【０００３】
このような不便さに対し、今までにも巻尺の専用保持具が提案されてきた。例えば、実開平５−４５５０２号公報に記載された巻尺携帯ケースは、係合爪にベルトフックが挿入されるものであるから、巻尺の保持力は、フックのばね力であり、巻尺携帯ケースから巻尺が落下することがることは避けられない。ベルトフックを外して、ホルダーにロックできるロック機構を装着する製品も市販されているが、製品に折角ついているベルトフックを外して代替品を取り付けるというものであるから、ベルトフックが無駄になり、また、ベルトフックが外せない構造の巻尺には、使用することができないという問題がある。さらに、使用にあたっては、巻尺にロック機構が取り付けられた状態で使用しなければならず、巻尺自体の本来の使いやすさを妨げる要因となり、また、コスト高になるという問題もある。
【０００４】
【発明が解決しようとする課題】
本発明は、上述した事情に鑑みてなされたもので、従来の製品に付いているベルトフックをそのまま利用して保持することができ、脱落のおそれのない簡単な係止機構を有する巻尺携帯保持具を提供することを目的とするものである。
【０００５】
【課題を解決するための手段】
請求項１に記載の発明は、前部壁と後部壁との間の側方からベルトを挿通可能なベルト挿通孔が形成された巻尺携帯保持具であって、前記前部壁に設けられて巻尺のベルトフックを跨がせるようにして係合する係止壁と、該係止壁に跨って係止された巻尺のベルトフックの上部の位置に臨出可能に設けられてベルトフックの抜け出しを抑える脱落防止用の爪を有することを特徴とするものである。
【０００６】
請求項２に記載の発明は、請求項１に記載の巻尺携帯保持具において、前記爪は弾性を有する合成樹脂で形成されたことを特徴とするものである。
【０００７】
請求項３に記載の発明は、請求項１または２に記載の巻尺携帯保持具において、前記爪は前記巻尺のベルトフックの挿入時に該ベルトフックの先端部が衝合する部分に下方に行くほど前方に出るテーパー部を有することを特徴とするものである。
【０００８】
請求項４に記載の発明は、請求項１ないし３のいずれか１項に記載の巻尺携帯保持具において、前記係止壁の上方に前記脱落防止爪の両側を囲むように案内壁が設けられていることを特徴とするものであり、請求項５に記載の発明は、請求項１ないし４のいずれか１項に記載の巻尺携帯保持具において、上部に吊り下げ用の小孔を有することを特徴とするものである。
【０００９】
請求項６に記載の発明は、請求項１ないし５のいずれか１項に記載の巻尺携帯保持具において、巻尺携帯保持具全体が弾性を有する合成樹脂で一体成形されていることを特徴とするものである。
【００１０】
【発明の実施の形態】
図１，図２は、本発明の巻尺携帯保持具の実施の形態の一例を説明するためのもので、図１は斜視図、図２（Ａ）は正面図、図２（Ｂ）は側面図、図２（Ｃ）は背面図、図２（Ｄ）は図２（Ａ）のＤ−Ｄ線断面図、図２（Ｅ）は上面図、図２（Ｆ）は図２（Ａ）のＦ−Ｆ線断面図である。図中、１は巻尺携帯保持具、２は上部壁、３は下部壁、４は前部壁、５は後部壁、６は脱落防止爪、６ａはテーパー部、７は小孔、８は案内壁、９は係止壁、１０はベルト挿通孔、１１は作業ベルトである。
【００１１】
巻尺携帯保持具１の前面には、上部壁２の中央部から脱落防止爪６が下方に延びるように形成されている。脱落防止爪６の上方には、小孔７が設けられている。脱落防止爪６には、下方に行くほど前方に出るようなテーパー部６ａが形成されている。この実施の形態では、テーパー部６ａは、図２（Ｃ）の断面図から分かるように、下方に行くほど脱落防止爪６の厚みが増加するようにして形成されているが、脱落防止爪６の厚みを増加させなくてもよく、脱落防止爪６をほぼ一様な厚さにし、下方を前方に向けて曲げるようにしてテーパー部を形成するようにしてもよい。しかし、必ずしもテーパー部を設ける必要はない。脱落防止爪６は、弾性が与えられるように、上部壁２に取り付けられるが、この実施の形態では、弾性を有する樹脂を材料として用いて、脱落防止爪６に弾性を付与している。
【００１２】
この脱落防止爪６の両側を囲むようにして、案内壁８が前部壁４から突き出るように形成されており、案内壁８の下方には、両側の案内壁８を連結するような形状で、係止壁９が設けられている。係止壁９は、脱落防止爪６の下方の空間部に位置しているが、係止壁９の上部と脱落防止爪６の下部との間には、ベルトフックを受容できる隙間が形成できるように係止壁９が設けられている。
【００１３】
巻尺携帯保持具１の側方には、前部壁４と後部壁５との間にベルト挿通孔１０が、形成されており、仮想線で図示したように、作業者の腰に巻かれた作業ベルト１１に挿通されるようにして、巻尺携帯保持具１が、作業者の体に取り付けられる。前部壁４の下部と後部壁５の下部とは、下部壁３で連結されている。このように、作業者の動作に邪魔にならないようにベルトの挿入孔が形成され、また、巻尺のベルトクリップを挿入する係止壁とで主要部分が構成されることにより、強度的な考慮をした必要最小限度の大きさとすることができる。
【００１４】
この実施の形態では、上部壁２，下部壁３，前部壁４，後部壁５，脱落防止爪６，案内壁８，係止壁９を一体的に構成した。これらを構成する材料としては、弾性を有する合成樹脂で、一体成形したが、適当な部材で分割して形成し、一体的に連結するようにしてもよい。このように、各部を適宜に分割して構成した場合においては、少なくとも、脱落防止爪６には、弾性が付与できる材料を用いるようにする。巻尺の着脱時に、弾性を利用して落下防止用の爪が出し入れできることによって、簡単に片手で着脱ができる利点がある。また、作業者の動作による脱落を確実に防止できる。
【００１５】
小孔７は、巻尺携帯保持具１を貫通するように設けられているから、作業ベルト１１から外した巻尺携帯保持具１を壁等に取り付けたフックや釘に掛けておくことができる。小孔７を上部に設けることにより、後述するように、巻尺携帯保持具１に巻尺を装填した状態のままでも巻尺携帯保持具１を壁等に吊り下げることができる。
【００１６】
図３は、ベルトフックが設けられた巻尺の斜視図である。図中、１２は巻尺、１３はベルトフックである。巻尺１２のケースは合成樹脂で形成されるのが普通であり、ベルトフック１３は、ステンレス等の弾性を有する金属板で形成されるのが普通である。
【００１７】
図４は、上述した巻尺携帯保持具に巻尺を装填した場合の斜視図であり、図５は巻尺の係止状態を説明するための断面図である。図中、図１〜図３と同じ部分には同じ符号を付して説明を省略する。
【００１８】
まず、巻尺携帯保持具１に巻尺１２を装填する場合を説明する。図１で説明したように、巻尺携帯保持具１は、ベルトに挿通されて作業者の体に取り付けられている。巻尺１２のベルトフック１３を巻尺携帯保持具１側に向くようにして、ベルトフック１３の先端を脱落防止爪６に押し付けながら、巻尺を下方に移動させるようにする。このとき、案内壁８が設けられていることにより、ベルトフック１３の先端の位置決めが容易となる。巻尺の下方への移動によって、ベルトフック１３の先端は、脱落防止爪６のテーパー部６ａを押して脱落防止爪６を内側に引っ込め、脱落防止爪６の先端は、係止壁９の内側を下方に移動して、係止壁９を跨ぐようにして、ベルトフック１３が係止壁９に係止される。この状態となると、脱落防止爪６はベルトフック１３の押し付け力から解放され、その弾性によって元の位置に戻る。この位置では、図５から分かるように、脱落防止爪６がベルトフックの上部の位置に臨出して、ベルトフックの上部を抑えるような位置をとり、ベルトフック１３が係止壁９から脱落することを防止できる。したがって、巻尺１２が巻尺携帯保持具１に保持された状態では、巻尺携帯保持具１が下向きの姿勢をとっても、巻尺１２が巻尺携帯保持具１から脱落することはなく、確実に装填される。
【００１９】
装填された巻尺１２を外すには、指先で脱落防止爪６を押し付けながら、巻尺１２を上方に移動させる。脱落防止爪６が押し付けられることによって、その先端部がベルトフック１３の上方の位置から待避して、ベルトフック１３の上方への移動を可能にして、巻尺１２を巻尺携帯保持具１から外すことができる。
【００２０】
【発明の効果】
以上の説明から明らかなように、本発明によれば、巻尺保持具において、コンパクトな着脱容易でしかも簡単に脱落しない安全で、特別な追加部品が不要であり、また、作業者は巻尺の落下や紛失を心配することなく作業できるという効果がある。
【図面の簡単な説明】
【図１】本発明の巻尺携帯保持具の実施の形態の一例の斜視図である。
【図２】本発明の巻尺携帯保持具の実施の形態の一例の詳細図であり、図２（Ａ）は正面図、図２（Ｂ）は側面図、図２（Ｃ）は背面図、図２（Ｄ）は図２（Ａ）のＤ−Ｄ線断面図、図２（Ｅ）は上面図、図２（Ｆ）は図２（Ａ）のＦ−Ｆ線断面図である。
【図３】ベルトフックが設けられた巻尺の斜視図である。
【図４】図１の巻尺携帯保持具に巻尺を装填した状態を示す斜視図である。
【図５】図４における巻尺の係止状態を説明するための断面図である。
【符号の説明】
１…巻尺携帯保持具、２…上部壁、３…下部壁、４…前部壁、５…後部壁、６…脱落防止爪、６ａ…テーパー部、７…小孔、８…案内壁、９…係止壁、１０…ベルト挿通孔、１１…作業ベルト、１２…巻尺、１３…ベルトフック。
【図１】
0003647124.tif 000002
【図２】
0003647124.tif 000003
【図３】
0003647124.tif 000004
【図４】
0003647124.tif 000005
【図５】
0003647124.tif 000006